【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
端末装置の表示画面にコンテンツ情報を表示させる情報処理装置であって、
前記コンテンツ情報の中から、ユーザに注目させるコンテンツ情報として当該コンテンツ情報の提供者により指定された注目コンテンツ情報を特定する注目コンテンツ情報特定手段と、
前記注目コンテンツ情報特定手段により特定された前記注目コンテンツ情報を表示領域外に遷移させようとするユーザ操作に応じて、当該注目コンテンツ情報の複製である複製コンテンツ情報を前記表示画面に表示させる制御手段と、
を備えることを特徴とする情報処理装置。
【請求項２】
前記情報処理装置は、前記ユーザ操作を検知するユーザ操作検知手段を更に備え、
前記制御手段は、前記ユーザ操作検知手段により前記ユーザ操作が検知された場合に、前記複製コンテンツ情報を前記表示画面に表示させることを特徴とする請求項１に記載の情報処理装置。
【請求項３】
前記複製コンテンツ情報は、前記表示画面において前記注目コンテンツ情報が配置された第１のレイヤとは異なる第２のレイヤに配置されるものであって、
前記情報処理装置は、前記ユーザ操作の開始時における前記注目コンテンツ情報の前記第１のレイヤにおける表示位置を特定する表示位置特定手段を更に備え、
前記制御手段は、前記表示位置特定手段により特定された前記表示位置と同じ表示位置であって前記第２のレイヤにおける表示位置に前記複製コンテンツ情報を固定配置して表示させることを特徴とする請求項１又は２に記載の情報処理装置。
【請求項４】
前記複製コンテンツ情報は、前記表示画面において前記注目コンテンツ情報が配置された第１のレイヤとは異なる第２のレイヤに配置されるものであって、
前記制御手段は、前記第２レイヤにおいて前記複製コンテンツ情報を移動させながら表示させることを特徴とする請求項１又は２に記載の情報処理装置。
【請求項５】
前記制御手段は、予め定められた表示位置に前記複製コンテンツ情報を固定配置して表示させることを特徴とする請求項１又は２に記載の情報処理装置。
【請求項６】
前記制御手段は、前記ユーザ操作が完了した場合、または、前記ユーザ操作の完了から所定時間経過した場合に、前記複製コンテンツ情報の表示を、ユーザから視認不能にさせることを特徴とする請求項１乃至５の何れか一項に記載の情報処理装置。
【請求項７】
前記ユーザ操作は、前記注目コンテンツ情報を含む表示内容をスクロールさせるスクロール操作であることを特徴とする請求項４に記載の情報処理装置。
【請求項８】
前記制御手段は、前記第２のレイヤにおいて前記複製コンテンツ情報を、前記スクロールの速度より遅い速度で、且つ前記スクロールの方向と同じ方向に移動させながら表示させることを特徴とする請求項７に記載の情報処理装置。
【請求項９】
前記制御手段は、前記スクロールの速度が所定速度以下になった場合に、前記複製コンテンツ情報の表示を、ユーザから視認不能にさせることを特徴とする請求項７又は８に記載の情報処理装置。
【請求項１０】
前記注目コンテンツ情報特定手段は、前記スクロールの速度が所定速度以下になった場合に前記表示画面に表示された新たな注目コンテンツ情報を特定し、
前記制御手段は、前記注目コンテンツ情報特定手段により特定された前記新たな注目コンテンツ情報を表示領域外に遷移させようとするユーザ操作に応じて、当該新たな注目コンテンツ情報の複製である複製コンテンツ情報を前記表示画面に表示させることを特徴とする請求項７乃至９の何れか一項に記載の情報処理装置。
【請求項１１】
前記スクロールの速度に応じて前記複製コンテンツの表示態様を変化させることを特徴とする請求項７乃至１０の何れか一項に記載の情報処理装置。
【請求項１２】
前記情報処理装置は、前記スクロール操作の開始時における前記注目コンテンツ情報の前記表示画面における表示位置から、前記スクロール操作に応じて変位した前記注目コンテンツ情報の表示位置までの距離を示す距離情報を取得する距離情報取得手段を更に備え、
前記制御手段は、前記距離情報取得手段により取得された前記距離情報が示す距離に応じて複製コンテンツ情報の表示態様を変化させることを特徴とする請求項７乃至１０の何れか一項に記載の情報処理装置。
【請求項１３】
前記情報処理装置は、前記スクロール操作の継続時間を示す時間情報を取得する時間情報取得手段を更に備え、
前記制御手段は、前記時間情報取得手段により取得された前記時間情報が示す継続時間に応じて前記複製コンテンツ情報の表示態様を変化させることを特徴とする請求項７乃至１０の何れか一項に記載の情報処理装置。
【請求項１４】
端末装置の表示画面にコンテンツ情報を表示させるコンピュータにより実行される情報処理方法であって、
前記コンテンツ情報の中から、ユーザに注目させるコンテンツ情報として当該コンテンツ情報の提供者により指定された注目コンテンツ情報を特定するステップと、
前記特定された前記注目コンテンツ情報を表示領域外に遷移させようとするユーザ操作に応じて、当該注目コンテンツ情報の複製である複製コンテンツ情報を前記表示画面に表示させるステップと、
を含むことを特徴とする情報処理方法。
【請求項１５】
端末装置の表示画面にコンテンツ情報を表示させるコンピュータを、
前記コンテンツ情報の中から、ユーザに注目させるコンテンツ情報として当該コンテンツ情報の提供者により指定された注目コンテンツ情報を特定する注目コンテンツ情報特定手段と、
前記注目コンテンツ情報特定手段により特定された前記注目コンテンツ情報を表示領域外に遷移させようとするユーザ操作に応じて、当該注目コンテンツ情報の複製である複製コンテンツ情報を前記表示画面に表示させる制御手段として機能させることを特徴とする情報処理プログラム。
【請求項１６】
端末装置の表示画面にコンテンツ情報を表示させるコンピュータを、
前記コンテンツ情報の中から、ユーザに注目させるコンテンツ情報として当該コンテンツ情報の提供者により指定された注目コンテンツ情報を特定する注目コンテンツ情報特定手段と、
前記注目コンテンツ情報特定手段により特定された前記注目コンテンツ情報を表示領域外に遷移させようとするユーザ操作に応じて、当該注目コンテンツ情報の複製である複製コンテンツ情報を前記表示画面に表示させる制御手段として機能させることを特徴とする情報処理プログラムが記録された記録媒体。
【手続補正２】
【補正対象書類名】明細書
【補正対象項目名】０００７
【補正方法】変更
【補正の内容】
【０００７】
上記課題を解決するために、請求項１に記載の発明は、端末装置の表示画面にコンテンツ情報を表示させる情報処理装置であって、前記コンテンツ情報の中から、ユーザに注目させるコンテンツ情報として当該コンテンツ情報の提供者により指定された注目コンテンツ情報を特定する注目コンテンツ情報特定手段と、前記注目コンテンツ情報特定手段により特定された前記注目コンテンツ情報を表示領域外に遷移させようとするユーザ操作に応じて、当該注目コンテンツ情報の複製である複製コンテンツ情報を前記表示画面に表示させる制御手段と、を備えることを特徴とする。
【手続補正３】
【補正対象書類名】明細書
【補正対象項目名】００３２
【補正方法】変更
【補正の内容】
【００３２】
請求項１４に記載の発明は、端末装置の表示画面にコンテンツ情報を表示させるコンピュータにより実行される情報処理方法であって、前記コンテンツ情報の中から、ユーザに注目させるコンテンツ情報として当該コンテンツ情報の提供者により指定された注目コンテンツ情報を特定するステップと、前記特定された前記注目コンテンツ情報を表示領域外に遷移させようとするユーザ操作に応じて、当該注目コンテンツ情報の複製である複製コンテンツ情報を前記表示画面に表示させるステップと、を含むことを特徴とする。
【手続補正４】
【補正対象書類名】明細書
【補正対象項目名】００３３
【補正方法】変更
【補正の内容】
【００３３】
請求項１５に記載の情報処理プログラム（コンピュータ読み取り可能なプログラム）の発明は、端末装置の表示画面にコンテンツ情報を表示させるコンピュータを、前記コンテンツ情報の中から、ユーザに注目させるコンテンツ情報として当該コンテンツ情報の提供者により指定された注目コンテンツ情報を特定する注目コンテンツ情報特定手段と、前記注目コンテンツ情報特定手段により特定された前記注目コンテンツ情報を表示領域外に遷移させようとするユーザ操作に応じて、当該注目コンテンツ情報の複製である複製コンテンツ情報を前記表示画面に表示させる制御手段として機能させることを特徴とする。
【手続補正５】
【補正対象書類名】明細書
【補正対象項目名】００３４
【補正方法】変更
【補正の内容】
【００３４】
請求項１６に記載の発明は、端末装置の表示画面にコンテンツ情報を表示させるコンピュータを、前記コンテンツ情報の中から、ユーザに注目させるコンテンツ情報として当該コンテンツ情報の提供者により指定された注目コンテンツ情報を特定する注目コンテンツ情報特定手段と、前記注目コンテンツ情報特定手段により特定された前記注目コンテンツ情報を表示領域外に遷移させようとするユーザ操作に応じて、当該注目コンテンツ情報の複製である複製コンテンツ情報を前記表示画面に表示させる制御手段として機能させる情報処理プログラムが記録された記録媒体である。